(57)【要約】【課題】使用する吊持装置の数を少なくし、煩雑な吊持索体の付替え作業を繰り返し行うことなく、効率良く橋梁部材を運搬し据え付けることができるようにする。【解決手段】上記課題を解決するために本発明の橋梁部材の吊持治具８は、橋梁部材Ｗの対向する端面を挟持状態で保持するホルダ部１８と、吊持装置６から繰り出される吊持索体７の端部に接続され、橋梁部材Ｗの挟持された両端面に向って移動し得る吊持スライダ１９と、吊持スライダ１９を移動させる傾倒機構２０とを備えている。また傾倒機構２０は回動用チェーンブロック２６によって構成されている。また本発明の橋梁部材の運搬据付け装置１には上記吊持治具８が設けられ、本発明の橋梁部材の運搬据付け方法には、上記吊持治具８と運搬据付け装置１が使用されている。【選択図】図３
2005299104.tif 000002
【特許請求の範囲】
【請求項１】
橋梁部材の対向する端面を挟持状態で保持するホルダ部と、吊持装置から繰り出される吊持索体の端部に接続され、橋梁部材の挟持された両端面に向かって移動し得る吊持スライダと、吊持スライダを移動させる傾倒機構とを備えることによって構成されていることを特徴とする橋梁部材の吊持治具。
【請求項２】
請求項１において、前記ホルダ部は橋梁部材の対向する端面側に延びる本体フレームと、本体フレームに対して揺動自在に接続される揺動ブラケットと、本体フレームに対して摺動自在に接続される摺動ブラケットとを備え、前記本体フレームには、吊持スライダの移動を案内するガイド機構が設けられていることを特徴とする橋梁部材の吊持治具。
【請求項３】
請求項１または２において、前記吊持スライダはスライダ本体に対して吊持索体に接続される吊持ハンガーと、傾倒機構に接続される回動ハンガーとを回動自在に接続することによって構成されていることを特徴とする橋梁部材の吊持治具。
【請求項４】
請求項１〜３のいずれか１項において、前記傾倒機構は、橋梁部材の対向する端面側に延びるホルダ部の一方の端部と吊持スライダとの間に架け渡される回動用チェーンブロックによって構成されており、ホルダ部の前記一方の端部あるいは他方の端部にはチェーンブロックの伸張状態を可変する操作手段の操作部が位置するように設けられていることを特徴とする橋梁部材の吊持治具。
【請求項５】
走行レール上を進退自在に移動する走行架台と、走行架台の先端寄りに設けられ案内ビームに案内されながら移動する吊持装置と、吊持装置から繰り出される吊持索体の端部に接続される橋梁部材の吊持治具とを備えており、前記橋梁部材の吊持治具は請求項１〜４のいずれか１項に記載の橋梁部材の吊持治具であることを特徴とする橋梁部材の運搬据付け装置。
【請求項６】
請求項５において、前記吊持装置は一基の吊持用チェーンブロックによって構成されていることを特徴とする橋梁部材の運搬据付け装置。
【請求項７】
橋梁部材に吊持治具を取り付け、吊持装置から延びる吊持索体の端部を吊持治具に取り付ける取付工程と、吊持治具が取り付けられた橋梁部材を吊持した状態で、据付け現場上方に移動させる水平移動工程と、橋梁部材の吊持位置を移動させて橋梁部材を傾倒させながら据付け現場に下降させる傾倒垂直移動工程と、橋梁部材を吊持索体を中心にして旋回させ、据付け部位に寄せて位置合わせをし、据え付ける旋回据付け工程とを備えていることを特徴とする橋梁部材の運搬据付け方法。
【発明の詳細な説明】
【技術分野】
【０００１】
本発明は、例えば橋梁のウェブ（腹板）として使用される波形鋼板等の橋梁部材を、据付け現場まで運搬しながら所望の据付け姿勢に姿勢設定することのできる橋梁部材の吊持治具、橋梁部材の運搬据付け装置及び橋梁部材の運搬据付け方法に関する。
【０００２】
尚、橋梁部材には板状の波形鋼板の他、プレストレストコンクリート桁に取り付けられる棒状のコンクリートストラット、棒状の鋼トラス斜材及び管状の鋼管ストラット等が含まれる。
【背景技術】
【０００３】
図１２に示すように橋状構造物１００は、地中に埋設される基礎１０１と、基礎１０１から立ち上げられる橋脚１０２と、隣接する橋脚１０２間に架け渡される橋梁１０３等とによって構成されている。また、橋桁１０３には、図１３に示すように上床版１０４と下床版１０５との間にウェブ１０６を介在させた構造が採用されている。尚、図１３では、ウェブ１０６として波形鋼板１０７を使用したものを図示しており、波形鋼板１０７を使用したウェブ１０６は、所定長さの波形鋼板１０７を張出し施工によって桁長方向Ａに高圧ボルト及び溶接等を使用して継ぎ足して行き、所望の長さに架設される。
【０００４】
下記非特許文献１には、このような波形鋼板１０７の従来の架設手順が開示されている。波形鋼板１０７の架設には、図１４〜図１７に示すように、側面視平行四辺形をしたトラス構造の走行架台１０９が使用されている。走行架台１０９の桁長方向Ａの前方に延びる吊持アーム１１０には、桁長方向Ａに二ヶ所、幅方向Ｂに二ヶ所の計四ヶ所に吊持装置としての四基のチェーンブロック１１１Ａ、１１１Ｂ、１１２Ａ、１１２Ｂが設けられている。また、吊持アーム１１０の下方にも別の吊持アーム１１３が設けられており、この吊持アーム１１３には、桁長直角方向Ｂに二ヶ所、二基のチェーンブロック１１４、１１５が設けられている。
【０００５】
そして、このような走行架台１０９及び六基のチェーンブロック１１１Ａ、１１１Ｂ、１１２Ａ、１１２Ｂ、１１４、１１５を使用して波形鋼板１０７を架設する場合には、図１４〜図１７に示すような手順によって行っていた。図１４では波形鋼板１０７を水平状態に保持して搬送する様子を示している。この場合には上方の吊持アーム１１０に取り付けられている四基のチェーンブロック１１１Ａ、１１１Ｂ、１１２Ａ及び１１２Ｂを使用して、四点で波形鋼板１０７を水平に保持して桁長方向Ａ前方に波形鋼板１０７を水平移動する。
【０００６】
次に、波形鋼板１０７を下方に移動させ、下方架台１１６に仮置きする。チェーンブロック１１２Ａ，１１２Ｂを波形鋼板１０７から切り離し、図１５に示すように下方の吊持アーム１１３に取り付けられている二基のチェーンブロック１１４、１１５から繰り出される吊持チェーンを波形鋼板１０７の桁長方向Ａの先端部に接続する。そして、チェーンブロック１１４，１１５から繰り出される吊持チェーンを大きく巻き上げることにより波形鋼板１０７を垂直姿勢にする。
【０００７】
次に、図１６に示されるように、上方の吊持アーム１１０に取り付けられている後方のチェーンブロック１１１Ａ、１１２Ｂを切り離した後、下方の吊持アーム１１３に取り付けられているチェーンブロック１１４を９０°回転し、桁長直角方向Ｂに横移動する。その後チェーンブロック１１４を桁長方向Ａに水平移動して波形鋼板１０７を据付け位置に至らせる。
【０００８】
また、波形鋼板１０７が所定の傾斜角度をもって据え付けられる場合は、図１７に示すように、上方の吊持アーム１１０に取り付けられている前方のチェーンブロック１１１Ａ、１１２Ａの吊持チェーンを波形鋼板１０７の下端に接続し、当該吊持チェーンの繰り出し長さを適宜調整することによって、波形鋼板１０７を所定の勾配に据え付けることができる。
【０００９】
従って、このような従来の橋梁部材の運搬据付け装置ないし橋梁部材の運搬据付け方法に因る場合には、多数のチェーンブロックと複数の吊持アームを必要としていた。また、チェーンブロックから繰り出される吊持チェーンを作業の進行に合わせて付け替えるという煩雑な付替え作業が存在していた。
【００１０】
【非特許文献１】木水隆夫、他５名（青木、原田、神山、正司、丸山）、「橋梁と基礎」Ｖｏｌ．３７  Ｎｏ１  ２００３年１月号  Ｐ１５〜２４「勝手川橋の設計・施工と振動実験」
【発明の開示】
【発明が解決しようとする課題】
【００１１】
本発明は、このような背景技術及び背景技術が抱える問題点の存在を踏まえてなされたものであって、使用する吊持装置の数を少なくし、煩雑な吊持索体の付替え作業を繰り返し行うことなく効率良く橋梁部材を運搬し据え付けることができる橋梁部材の吊持治具、橋梁部材の運搬据付け装置及び橋梁部材の運搬据付け方法を提供することを課題とするものである。
【課題を解決するための手段】
【００１２】
上記課題を解決するために本発明の第１の態様に係る橋梁部材の吊持治具は、橋梁部材の対向する端面を挟持状態で保持するホルダ部と、吊持装置から繰り出される吊持索体の端部に接続され、橋梁部材の挟持された両端面に向かって移動し得る吊持スライダと、吊持スライダを移動させる傾倒機構とを備えることによって構成されていることを特徴とするものである。
【００１３】
本発明の第１の態様によれば、一基の吊持装置を使用するだけで橋梁部材の水平、垂直方向への移動、前方への傾倒、吊持ワイヤの周りの旋回が可能であるから、少ない部品点数で効率良く、簡単な作業手順によって橋梁部材を保持、運搬し、据え付けることが可能となる。また吊持治具を使用することで橋梁部材を水平状態に保持した状態で運搬できるから、大型の橋梁部材を搬送する場合や、搬送部の高さがあまり高くない場合にも使用できる。
【００１４】
本発明の第２の態様に係る橋梁部材の吊持治具は、第１の態様において、前記ホルダ部は橋梁部材の対向する端面側に延びる本体フレームと、本体フレームに対して揺動自在に接続される揺動ブラケットと、本体フレームに対して摺動自在に接続される摺動ブラケットとを備え、前記本体フレームには、吊持スライダの移動を案内するガイド機構が設けられていることを特徴とするものである。  
本発明の第２の態様によれば、揺動ブラケットの存在によって種々の端面角度の橋梁部材に適用でき、摺動ブラケットの存在によって種々の寸法の橋梁部材に適用できる。またガイド機構が設けられているから、吊持スライダの移動が円滑に行われ、橋梁部材の傾倒も良好に行われる。
【００１５】
本発明の第３の態様に係る橋梁部材の吊持治具は、第１または第２の態様において、前記吊持スライダはスライダ本体に対して吊持索体に接続される吊持ハンガーと、傾倒機構に接続される回動ハンガーとを回動自在に接続することによって構成されていることを特徴とするものである。  
本発明の第３の態様によれば、吊持スライダと吊持索体との接続及び吊持スライダと傾倒機構との接続が互いに介渉することなく独立して行われているから、橋梁部材の傾倒、移動、旋回が円滑に行われる。
【００１６】
本発明の第４の態様に係る橋梁部材の吊持治具は、第１〜第３のいずれか１つの態様において、前記傾倒機構は、橋梁部材の対向する端面側に延びるホルダ部の一方の端部と吊持スライダとの間に架け渡される回動用チェーンブロックによって構成されており、ホルダ部の前記一方の端部あるいは他方の端部にはチェーンブロックの伸張状態を可変する操作手段の操作部が位置するように設けられていることを特徴とするものである。  
本発明の第４の態様によれば、回動用チェーンブロックのチェーンの作用長を可変するという比較的簡単な構成によって吊持スライダを移動でき、吊持位置を替えることによって橋梁部材を傾倒させることが可能となる。また操作手段の操作部がホルダ部の端部に位置するように設けられているから、作業者による橋梁部材の傾倒作業も行い易くなっている。
【００１７】
本発明の第５の態様に係る橋梁部材の運搬据付け装置は、走行レール上を進退自在に移動する走行架台と、走行架台の先端寄りに設けられ案内ビームに案内されながら移動する吊持装置と、吊持装置から繰り出される吊持索体の端部に接続される橋梁部材の吊持治具とを備えており、前記橋梁部材の吊持治具は第１〜第４のいずれか１つの態様の橋梁部材の吊持治具であることを特徴とするものである。  
本発明の第５の態様によれば、既存の走行架台等の設備がそのまま使用でき、装置の低コスト化、兼用、リースが可能となる。また一基の吊持装置を使用するだけで橋梁部材の水平、垂直方向への移動、前方への傾倒、吊持ワイヤの周りの旋回が可能であるから、少ない部品点数で効率良く、簡単な作業手順によって橋梁部材を保持、運搬し、据え付けることが可能となる。また吊持治具を使用することで橋梁部材を水平状態に保持した状態で運搬できるから、大型の橋梁部材を搬送する場合や、搬送部の高さがあまり高くない場合にも使用できる。
【００１８】
本発明の第６の態様に係る橋梁部材の運搬据付け装置は、第５の態様において、前記吊持装置は一基の吊持用チェーンブロックによって構成されていることを特徴とするものである。  
本発明の第６の態様によれば、吊持装置の構成を極めて簡単にでき、複数の吊持装置を使用した場合に必要となる煩雑な吊持索体の付替え作業等も不要になる。
【００１９】
本発明の第７の態様に係る橋梁部材の運搬据付け方法は、橋梁部材に吊持治具を取り付け、吊持装置から延びる吊持索体の端部を吊持治具に取り付ける取付工程と、吊持治具が取り付けられた橋梁部材を吊持した状態で、据付け現場上方に移動させる水平移動工程と、橋梁部材の吊持位置を移動させて橋梁部材を傾倒させながら据付け現場に下降させる傾倒垂直移動工程と、橋梁部材を吊持索体を中心にして旋回させ、据付け部位に寄せて位置合わせをし、据え付ける旋回据付け工程とを備えていることを特徴とするものである。  
本発明の第７の態様によれば、吊持索体の付替え作業を行うことなく効率良く、短時間で橋梁部材の運搬、傾倒、旋回、位置合わせを行うことが可能となる。
【００２０】
ここで、前記傾倒垂直移動工程では、橋梁部材を傾倒するに際し、吊持治具の一方の端部に傾倒補助ワイヤを取り付け、橋梁部材は当該傾倒補助ワイヤによって保持された状態で傾倒を開始し、橋梁部材の傾倒姿勢が安定したところで傾倒補助ワイヤを取り外すようにすれば、橋梁部材を傾倒する際に生ずる橋梁部材の揺れが防止され、橋梁部材の傾倒作業を安全に、円滑に、容易に行うことが可能となる。
【発明の効果】
【００２１】
本発明によれば、使用する吊持装置の数を少なくし、煩雑な吊持索体の付替え作業を繰り返し行うことなく、短時間で橋梁部材を運搬し据え付けることができる。また既存の走行架台等の設備がそのまま使用できるから、装置の低コスト化、兼用、リースが可能となる。
【発明を実施するための最良の形態】
【００２２】
以下、本願発明に係る橋梁部材の吊持治具、橋梁部材の運搬据付け装置及び橋梁部材の運搬据付け方法について説明する。尚、以下の説明では橋梁部材として橋桁のウエブに用いる波形鋼板を例にとり、最初に下記の実施例に基づいて波形鋼板の張出し施工に使用される橋梁部材の運搬据付け装置の全体構成の概略を説明し、次いで当該装置に使用される橋梁部材の吊持治具の具体的な構成を説明する。そして橋梁部材の運搬据付け装置の作動態様と併せて橋梁部材の運搬据付け方法について説明し、最後に本願発明の他の実施例について簡単に言及する。
【００２３】
図１は橋梁部材の運搬据付け装置の全体構成を示す側面図、図２は橋梁部材の運搬据付け装置の全体構成を示す正面図である。図３は橋梁部材の吊持治具を橋梁部材に取り付けた状態を示す斜視図である。また図４は対向する端面が傾斜している橋梁部材に橋梁部材の吊持治具を取り付けた状態を示す平面図、図５は対向する端面が平行な橋梁部材に橋梁部材の吊持治具を取り付けた状態を示す平面図である。また図６は橋梁部材の吊持治具を示す平面図、図７は橋梁部材の吊持治具を示す側面図である。
【００２４】
また図８は橋梁部材の運搬据付け方法における水平移動工程を示す橋梁部材の運搬据付け装置の側面図（ａ）と正面図（ｂ）である。図９は橋梁部材の運搬据付け方法における傾倒垂直移動工程において傾倒補助ワイヤを使用する初期の状態を示す橋梁部材の運搬据付け装置の側面図（ａ）と正面図（ｂ）である。図１０は同上、傾倒補助ワイヤを取り外し、更に傾倒及び垂直移動が進行した状態を示す橋梁部材の運搬据付け装置の側面図（ａ）と正面図（ｂ）である。図１１は橋梁部材の運搬据付け方法における旋回据付け工程を示す橋梁部材の運搬据付け装置の側面図（ａ）と正面図（ｂ）である。
【００２５】
［実施例］
橋梁部材の運搬据付け装置１は、張出し施工途中の既設の橋桁２の張出し側端部上面に設置される走行レール３と、走行レール３の上方、幾分張出した位置にまで延設された案内ビーム４ａ、４ｂと、走行レール３と案内ビーム４ａ、４ｂとの間に設けられる走行架台５と、案内ビーム４ａ、４ｂに取り付けられる吊持装置６と、吊持装置６から繰り出される吊持索体７の端部に接続される橋梁部材の吊持治具８とを備えている。案内ビーム４ａと４ｂは一直線に並んで位置する状態と、一方の案内ビーム４ｂが該案内ビームの長手方向と直交する方向に移動して他方の案内ビーム４ａとずれた位置になる状態を取りうるように構成されている。具体的には、案内ビーム４ａは固定されているが、もう一方の案内ビーム４ｂは、該案内ビームの長手方向と直交する方向に延設されたレール５０ａ上を自走手段によって移動可能に構成されている。これにより、橋梁部材を所望の据え付け位置まで運搬できるようになっている。
【００２６】
走行架台５は、桁長方向Ａの前方（橋桁の張出し方向）に張り出すように設けられる側面視平行四辺形をしたトラス構造の構造枠体であり、上部の最も前方に張り出した水平部分が走行架台５の上弦材９になっている。また、走行架台５の前方寄りの下部には、走行モータ１０からの駆動力を受けて走行レール３上を転動する走行駆動輪１１が設けられ、走行架台５の後方寄りの下部には走行従動輪１２と、走行架台５の設置角度を調整するアンカージャッキ１３等が設けられている。
【００２７】
吊持装置６は、案内ビーム４ａ、４ｂに対して取り付けられおり、一基の吊持用チェーンブロック１４によって構成されている。尚、吊持用チェーンブロック１４としては、吊下げ荷重２．８トン程度の電動チェーンブロックが一例として使用できる。吊持用チェーンブロック１４から繰り出される吊持索体７の一例である吊持チェーン１５の先端には吊持フック１６が設けられていて、この吊持フック１６によって本発明の橋梁部材の吊持治具８が係止され橋梁部材である波形鋼板Ｗと共に吊持される。また、上記吊持治具８と走行架台５ないし案内ビーム４ａ、４ｂとの間には、波形鋼板Ｗを傾倒する際に補助的に使用される図９に示す傾倒補助ワイヤ１７が必要に応じて設けられている。
【００２８】
橋梁部材の吊持治具８は、波形鋼板Ｗの対向する端面を挟持状態で保持するホルダ部１８と、吊持用チェーンブロック１４から繰り出される吊持チェーン１５端部の吊持フック１６に接続される吊持スライダ１９と、吊持スライダ１９を移動させる傾倒機構２０とを備えることによって構成されている。ホルダ部１８は、波形鋼板Ｗの対向する端面側に延びる本体フレーム２１と、本体フレーム２１に対して揺動自在に接続される揺動ブラケット２２と、本体フレーム２１に対して摺動自在に接続される摺動ブラケット２３とを備えている。
【００２９】
本体フレーム２１は、長寸の矩形枠状の部材で内部には吊持スライダ１９の移動を案内するガイド機構としてのガイドロッド２５が設けられている。このガイドロッド２５には、吊持スライダ１９より揺動ブラケット２２側の部分に逆移動防止用ナット５５が螺合され、その螺合位置を変更調整することで、吊持スライダ１９が揺動ブラケット２２側に不用意に移動して予定されている傾き方向と逆方向にホルダ部１８、すなわち波形鋼板Ｗが傾くことを防止している。
【００３０】
本体フレーム２１の揺動ブラケット２２が接続される側の端部寄りには、傾倒機構２０を構成する回動用チェーンブロック２６から繰り出される回動チェーン２７の端部の伸張側係止フック４４と接続される係止部材２９が固定状態で設けられている。尚、係止部材２９は、例えば野球のホームベース様の形状をしたベース板３０上に二枚の三角形板状をした側板３１を立ち上げ、これらの側板３１間に伸張側係止フック４４が直接係止される係止ロッド３２を架け渡したものである。また、本体フレーム２１の底面には、長手方向に延びるスリット３３が設けられており、スリット３３の左右の側縁が摺動ブラケット２３と係合する案内縁部３４になっている。
【００３１】
揺動ブラケット２２は、本体フレーム２１と揺動ブラケット２２とを貫通する揺動軸３５を中心に揺動する部材で、図４に示すように波形鋼板Ｗの両端面が傾斜している場合に、その傾斜角度に合わせるために使用される。一方、摺動ブラケット２３は、前記本体フレーム２１における案内縁部３４と係合する係合天板３６を有する部材で、図５に示すように、波形鋼板Ｗの寸法に合わせて桁長方向Ａに摺動させて使用される。
【００３２】
波形鋼板Ｗの両端面を構成するフランジに、所定間隔でＬ形断面の補強板３７が複数枚溶接等によって取り付けられている。揺動ブラケット２２の摺動ブラケット２３側の面と波形鋼板Ｗの前記補強板３７とが、Ｌ形取付具２４を介して連結固定され、更に摺動ブラケット２３も同様にＬ形取付具２４を介して波形鋼板Ｗと連結固定され、これにより、当該吊持治具８によって波形鋼板Ｗを吊持可能にしている。ここで、Ｌ形取付具２４は、前記補強板３７とは位置固定状態でボルト締結され、一方揺動ブラケット２２及び摺動ブラケット２３とは、それぞれ前記本体フレーム２１の長手方向と直交方向にスライド可能状態でボルト締結されている。該直交方向へのスライドにより、波形鋼板Ｗを吊持する際の重心位置合わせを容易に行えるようになっている。
【００３３】
吊持スライダ１９は、ホルダ部１８に設けられる前述のガイドロッド２５と嵌合し、ガイドロッド２５に案内されて摺動するスライダ本体３８と、回動軸４０を中心に回動する吊持ハンガー４１と回動ハンガー４２とを備えることによって構成されている。尚、回動軸４０は、スライダ本体３８の上面から立ち上げられている二枚の三角形板状の側板３９間に架け渡されている。吊持ハンガー４１と回動ハンガー４２は、ほぼ同様の形状を有しており、回動軸４０と嵌合する基端側で間隔が広く、吊持用チェーンブロック１４ないし傾倒機構２０と接続される自由端側で間隔が狭くなるように二枚のブラケットを拝み合せ状態に配設したハンガー様の形状をした部材である。
【００３４】
傾倒機構２０は、一例として耐荷重３トン程度の手動式の回動用チェーンブロック２６によって構成されている。回動用チェーンブロック２６の基端側に設けられる固定側係止フック４３は、吊持スライダ１９に取り付けられている回動ハンガー４２の自由端側に係止されている。一方、回動用チェーンブロック２６の伸張側に設けられる伸張側係止フック４４は、前述したようにホルダ部１８の上面に設けられている係止部材２９の係止ロッド３２に係止されている。また、回動用チェーンブロック２６には、回動チェーン２７が巻回しており、伸張側係止フック４４と接続される伸張側の部位の回動チェーン２７の伸張状態を可変するための操作手段として、操作チェーン４５が設けられている。尚、操作チェーン４５の端部が操作部になっていて、ホルダ部１８のいずれかの端部に位置するように設けられており、傾倒作業の作業性を向上させている。
【００３５】
次に、このようにして構成される本発明の橋梁部材の吊持治具８と該吊持治具８を備えた本発明の橋梁部材の運搬据付け装置１の作動態様と併せて、本発明の橋梁部材の運搬据付け方法について説明する。以下の説明では本発明の橋梁部材の運搬据付け方法を施工手順に従って（１）取付工程、（２）水平移動工程、（３）傾倒垂直移動工程、（４）旋回据付け工程の４つの工程に分けて説明する。
【００３６】
（１）取付工程（図１〜図５参照）
取付工程は、波形鋼板Ｗに吊持治具８を取り付け、吊持用チェーンブロック１４から伸びる吊持チェーン１５端部の吊持フック１６を吊持治具８に取り付ける工程である。この場合には、図４、５に示すように揺動ブラケット２２及び摺動ブラケット２３を波形鋼板Ｗの形状ないし寸法に合わせて適宜調整する。この取付作業は既設の橋桁２の上で行われる。吊持用チェーンブロック１４は、案内ビーム４ａに位置し、両案内ビーム４ａ，４ｂは一直線に並んだ状態になっている。
【００３７】
また、波形鋼板Ｗが水平姿勢を保って保持されるよう、回動用チェーンブロック２６を操作して、吊持スライダ１９が波形鋼板Ｗの重心位置にくるように調整する。そして、吊持用チェーンブロック１４の吊持チェーン１５を巻き上げて、吊持治具８によって水平に保持された状態の波形鋼板Ｗを運搬軌道上まで上昇させる。
【００３８】
（２）水平移動工程（図８参照）
水平移動工程は、吊持治具８が取り付けられた波形鋼板Ｗを吊持した状態で据付け現場上方に移動させる工程である。この場合には、図８に示すように波形鋼板Ｗを水平に保持した状態で吊持用チェーンブロック１４を案内ビーム４ａ上から案内ビーム４ｂに向かって前進させることによって据付け現場上方まで移動させる。すなわち、吊持用チェーンブロック１４は、案内ビーム４ｂ上に移る。また、波形鋼板Ｗを据付け現場上方に移動した後、図８（ａ）中、仮想線で示す傾倒補助ワイヤ１７をホルダ部１８の桁長方向Ａ後端（次工程で波形鋼板Ｗを傾倒させた状態では、ホルダ部１８の上端となる）に取り付けておく。
【００３９】
（３）傾倒垂直移動工程（図９、図１０参照）
傾倒垂直移動工程は、波形鋼板Ｗの吊持位置を移動させて波形鋼板Ｗを傾倒させながら据付け現場に下降させる工程である。この場合には、図９に示すように、傾倒補助ワイヤ１７によってホルダ部１８の上端を保持しながら、波形鋼板Ｗの下端を図９（ａ）中、左方に回動させ、波形鋼板Ｗを傾倒させて行く。そして波形鋼板Ｗの傾倒姿勢が安定したところで、傾倒補助ワイヤ１７を取り外す。
【００４０】
そして、図１０に示すように、作業者が回動用チェーンブロック２６の操作チェーン４５を操作することによって吊持スライダ１９をホルダ部１８の端部側に移動させて、図示のように波形鋼板Ｗを傾倒状態にする。また、同時に吊持用チェーンブロック１４の吊持チェーン１５を伸張して行き、波形鋼板Ｗを据付け現場まで下降させる。
【００４１】
（４）旋回据付け工程（図１１参照）
旋回据付け工程は、波形鋼板Ｗを吊持チェーン１５を中心にして旋回させ、据付け部位に寄せて位置合わせをし、据え付ける工程である。この場合には、図１１に示すように、据付け現場に待機している作業者との共同作業によって傾倒姿勢で吊持されている波形鋼板Ｗを旋回させ、案内ビーム４ｂを前記自走手段によってレール５０ａ上を移動させ、当該波形鋼板Ｗを既設の波形鋼板Ｗの端部に宛がい、高力ボルト等を使用してつなぎ合わせることによって据え付けが完了する。
【００４２】
［他の実施例］
本発明に係る橋梁部材の吊持治具８、橋梁部材の運搬据付け装置１及び橋梁部材の運搬据付け方法は、以上述べたような構成を基本とするものであるが、本願発明の要旨を逸脱しない範囲内の部分的構成の変更や省略等を行うことも勿論可能である。例えば、走行架台５は、本発明の橋梁部材の運搬据付け装置１の専用の走行架台５である必要はなく、既設あるいは市販、リースの他の走行架台５を使用することも可能である。また傾倒垂直移動工程で使用した傾倒補助ワイヤ１７は、必ず備えなければならない構成ではなく、波形鋼板Ｗの安定した傾倒が可能な場合には省略することが可能である。また回動用チェーンブロック２６は、電動式のチェーンブロックを使用することも可能であり、このようにすればリモコン操作で吊持スライダ１９を移動させることも可能となる。この他吊持装置６を２基に増設したり、吊持装置６をウインチ、吊持索体７を吊持ワイヤによって構成することも可能である。
【産業上の利用可能性】
【００４３】
本発明は、橋梁の張出し施工において使用される橋梁部材の運搬据付け作業、より具体的には、使用する吊持装置の数を少なくし、煩雑な吊持索体の付替え作業を繰り返し行うことなく効率良く橋梁部材を運搬し据え付けたい場合に利用できる。
【図面の簡単な説明】
【００４４】
【図１】橋梁部材の運搬据付け装置の全体構成を示す側面図である。
【図２】橋梁部材の運搬据付け装置の全体構成を示す正面図である。
【図３】橋梁部材の吊持治具を橋梁部材に取り付けた状態を示す斜視図である。
【図４】対向する端面が傾斜している橋梁部材に橋梁部材の吊持治具を取り付けた状態を示す平面図である。
【図５】対向する端面が平行な橋梁部材に橋梁部材の吊持治具を取り付けた状態を示す平面図である。
【図６】橋梁部材の吊持治具を示す平面図である。
【図７】橋梁部材の吊持治具を示す側面図である。
【図８】橋梁部材の運搬据付け方法における水平移動工程を示す橋梁部材の運搬据付け装置の側面図（ａ）と正面図（ｂ）である。
【図９】橋梁部材の運搬据付け方法における傾倒垂直移動工程において傾倒補助ワイヤを使用する初期の状態を示す橋梁部材の運搬据付け装置の側面図（ａ）と正面図（ｂ）である。
【図１０】同上傾倒補助ワイヤを取り外し、更に傾倒及び垂直移動が進行した状態を示す橋梁部材の運搬据付け装置の側面図（ａ）と正面図（ｂ）である。
【図１１】橋梁部材の運搬据付け方法における旋回据付け工程を示す橋梁部材の運搬据付け装置の側面図（ａ）と正面図（ｂ）である。
【図１２】橋梁構造物の各部の構成を示す側面図である。
【図１３】橋梁の各部の構成を示す斜視図である。
【図１４】従来の橋梁部材の運搬据付け作業における水平移動時の作業形態を示す側面図（ａ）と正面図（ｂ）である。
【図１５】従来の橋梁部材の運搬据付け作業における傾倒垂直移動時の作業形態を示す側面図（ａ）と正面図（ｂ）である。
【図１６】従来の橋梁部材の運搬据付け作業における位置合せ横移動時の作業形態を示す側面図（ａ）と正面図（ｂ）である。
【図１７】従来の橋梁部材の運搬据付け作業における微調整据付け時の作業形態を示す側面図（ａ）と正面図（ｂ）である。
【符号の説明】
【００４５】
１  （橋梁部材の）運搬据付け装置、２  橋梁、４ａ，４ｂ  案内ビーム、
５  走行架台、６  吊持装置、７  吊持索体、８  （橋梁部材の）吊持治具、
９  吊持アーム、１０  走行モータ、１１  走行駆動輪、１２  走行従動輪、
１３  アンカージャッキ、１４  吊持用チェーンブロック、１５  吊持チェーン、
１６  吊持フック、１７  傾倒補助ワイヤ、１８  ホルダ部、１９  吊持スライダ、
２０  傾倒機構、２１  本体フレーム、２２  揺動ブラケット、２３  摺動ブラケット、２４  Ｌ形取付具、２５  ガイドロッド（ガイド機構）、２６  回動用チェーンブロック、
２７  回動チェーン、２９  係止部材、３０  ベース板、３１  側板、３２  係止ロッド、３３  スリット、３４  案内縁部、３５  揺動軸、３６  係合天板、３７  補強板、
３８  スライダ本体、３９  側板、４０  回動軸、４１  吊持ハンガー、５０ａ  レール４２  回動ハンガー、４３  固定側係止フック、４４  伸張側係止フック、
４５  操作チェーン（操作手段）、Ａ  桁長方向、Ｂ  幅方向、Ｗ  波形鋼板（橋梁部材）
【図１】
2005299104.tif 000003
【図２】
2005299104.tif 000004
【図３】
2005299104.tif 000005
【図４】
2005299104.tif 000006
【図５】
2005299104.tif 000007
【図６】
2005299104.tif 000008
【図７】
2005299104.tif 000009
【図８】
2005299104.tif 000010
【図９】
2005299104.tif 000011
【図１０】
2005299104.tif 000012
【図１１】
2005299104.tif 000013
【図１２】
2005299104.tif 000014
【図１３】
2005299104.tif 000015
【図１４】
2005299104.tif 000016
【図１５】
2005299104.tif 000017
【図１６】
2005299104.tif 000018
【図１７】
2005299104.tif 000019